【事件の表示】
　特願２０１２−　７３０２６「液晶表示装置」拒絶査定不服審判事件〔平成２５年１０月　７日出願公開、特開２０１３−２０５５４４、請求項の数（５）〕について、次のとおり審決する。
【結　論】
　原査定を取り消す。
　本願の発明は、特許すべきものとする。
【理　由】
第１　手続の経緯
　本願は、平成２４年３月２８日の出願であって、平成２７年９月１１日付けで拒絶理由通知がされ、同年１１月１２日付けで手続補正がされ、平成２８年３月３１日付けで拒絶査定（原査定）がされ、これに対し、同年６月２２日に拒絶査定不服審判の請求がされたものである。
第２　原査定の概要
　原査定（平成２８年３月３１日付け拒絶査定）の概要は次のとおりである。
　本願請求項１−５に係る発明は、以下の引用文献１に記載された発明に基づいて、その発明の属する技術の分野における通常の知識を有する者（以下、「当業者」という。）が容易に発明をすることができたものであるから、特許法第２９条第２項の規定により特許を受けることができない。
・請求項　１、４−５
・引用文献等　１
　引用文献１（特に、［００２６］−［００３４］、［００４１］−［００４６］、［図１］、［図４］−［図６］）には、赤色フィルタ１０Ｒ、緑色フィルタ１０Ｇ、白色（無色）フィルタ１０Ｗからなるカラーフィルタと、青色発光ダイオード２ａ、白色発光ダイオード２ｂとからなるエッジライト型バックライト４と、光学フィルムと、反射フィルムとからなる液晶表示装置であって、フィールドシーケンシャル駆動するものが記載されている。
　ここで、青色発光ダイオードと白色発光ダイオードの設置数比は、それぞれのダイオードのピーク輝度や求めるホワイトバランス等によって、当業者が適宜設定するものであり、本願の請求項１に規定された程度とすることも何ら特別なことではない。
　また、引用文献１には時分割表示（フィールドシーケンシャル駆動）することが記載されており、時分割表示ではＲＧＢを時分割で表示しその時間的合成により白色を表示させるものである。してみれば、引用文献１において青色発光ダイオードと白色発光ダイオードの発光時間は重なることはない。
　よって、本願の請求項１、４−５に係る発明は、引用文献１を基に当業者が容易になし得たものである。
・請求項　２−３
・引用文献等　１
　本願の請求項２−３に記載された事項は、周知技術または設計事項程度のことに過ぎない。
　よって、本願の請求項２−３に係る発明は、引用文献１を基に当業者が容易になし得たものである。
　　　　　　　　　　　＜引用文献等一覧＞
　引用文献１：国際公開第２０１２／０２９７０１号
第３　本願発明
　本願請求項１−５に係る発明（以下、それぞれ「本願発明１」−「本願発明５」という。）は、平成２７年１１月１２日付けの手続補正で補正された特許請求の範囲の請求項１−５に記載された事項により特定される発明であり、本願発明１は以下のとおりの発明である。
「【請求項１】
　バックライト装置と、液晶表示パネルと、を有する液晶表示装置であって、
　前記バックライト装置は、光源と、導光板とを有し、
　前記液晶表示パネルは、カラーフィルタ基板と、表示用アレイ基板とを有し、
　前記カラーフィルタ基板は、少なくとも赤色着色層と、緑色着色層と、クリア層とを有し、
　前記導光板は、光入射面と光射出面を有し、
　前記光源は、前記光入射面に光が導入されるように配置されるとともに、当該光源は、白色光を発する白色発光部と、青色光を発する青色発光部とを有し、　　
　前記白色発光部は、第１発光素子と第１封止体とを有し構成されており、前記青色発光部は、第２発光素子と第２封止体とを有し構成されており、　
　前記白色発光部のベースとなる第１発光素子の設置数をＳｗ、前記青色発光部のベースとなる第２発光素子の設置数をＳｂとした場合、Ｓｂ＝（０．３〜０．７）Ｓｗに設定されており、　　
　前記液晶表示装置はフィールドシーケンシャル方式で駆動され、フィールドシーケンシャル方式による色表示手法を可能とするための制御回路部を備え、前記白色発光部から発光される時間帯と、前記青色発光部から発光される時間帯とが、重なることなく区分されて操作されることを特徴とする液晶表示装置。」
　なお、本願発明２−５は、本願発明１を減縮した発明である。
第４　引用文献１の記載事項、引用発明等
１　引用文献１の記載事項について
　原査定の拒絶の理由に引用された上記引用文献１には、図面とともに次の事項が記載されている。
「［００２６］　図１に示すように、
液晶表示装置１は、バックライト４と、そのバックライト４の光射出面側に配置される液晶パネル５とを有し
［００２７］　
液晶パネル５は、
液晶層
と、液晶層の表示面側（
に配置されたカラーフィルタ（１０Ｒ，１０Ｇ，１０Ｗ）を有し
［００２８］　以下、液晶パネル５のカラーフィルタについて説明する。
カラーフィルタは、赤色光成分の光を透過する赤色フィルタ１０Ｒと、緑色光成分の光を透過する緑色フィルタ１０Ｇと、すべての可視光を透過する白色（無色）フィルタ１０Ｗとで構成され、
「［００３３］　バックライト４は、液晶パネル５の背面から、液晶パネル５の全面に光を照射する照明装置であり、液晶パネル５の画像表示面と略同一形状の光射出面を有する。本実施形態に係る
バックライト４は、
光源（２ａ，２ｂ）、および導光板３を有し
バックライト４では、光源からの光は導光板３の内部へ進入し、導光板３内で多重反射をして、導光板３の液晶パネル５側の面から射出され
［００３４］　以下、バックライト４の光源について説明する。
バックライト４の光源は、少なくとも１つの青色発光ダイオード（青色ＬＥＤ）２ａと、少なくとも１つの白色発光ダイオード（白色ＬＥＤ）２ｂとで構成され
「［００３８］　ところで、青色ＬＥＤ２ａおよび白色ＬＥＤ２ｂの配置比率は、青色ＬＥＤ２ａと白色ＬＥＤ２ｂとの青色成分の強度が同じである場合、１：１であることが好ましい。ただし、上記の青色ＬＥＤ２ａおよび白色ＬＥＤ２ｂの配置比率はあくまでも一例であり、該配置比率に特に限定はなく、青色ＬＥＤ２ａおよび白色ＬＥＤ２ｂはそれぞれ少なくとも１つ配置されていれば良い。
［００３９］　また、青色ＬＥＤ２ａおよび白色ＬＥＤ２ｂは、導光板３の光射出面と光入射面とを結ぶ面（すなわち導光板３の側面）に沿って配列され、エッジライト型のバックライト４を構成することが好ましい。これによれば、光源（２ａ，２ｂ）からの光の利用効率が高く、またバックライト４を軽量化することが可能である。ただし、バックライト４は、エッジライト型に限定されるわけではなく、青色ＬＥＤ２ａおよび白色ＬＥＤ２ｂを液晶パネル５の背面側の直下に配列した直下型であっても良い。
［００４０］　（バックライト４および液晶パネル５の駆動）
　上述したように、本実施形態に係る液晶パネル５では、カラーフィルタとして赤色フィルタ１０Ｒと緑色フィルタ１０Ｇと白色フィルタ１０Ｗとを備えている。また、本実施形態に係るバックライト４は、光源として青色ＬＥＤ２ａと白色ＬＥＤ２ｂとを備えている。
［００４１］　上記の構成に基づけば、液晶表示装置１における各色の点灯方法は以下のとおりになる。まず、青色の点灯方法について図４を参照して説明する。図４は、液晶表示装置１における青色点灯時の光の透過を示す概略図である。
［００４２］　図４に示すように、
青色点灯時には、
ＬＥＤドライバが青色ＬＥＤ２ａのみを点灯するように制御ユニット
が制御する
、同時に、
駆動ユニットが、バックライト４からの光が白色フィルタ１０Ｗのみを透過するように液晶パネル５を制御する
［００４３］　次に、緑色の点灯方法について図５を参照して説明する。図５は、液晶表示装置１における緑色点灯時の光の透過を示す概略図である。
［００４４］　図５に示すように、
緑色点灯時には、
ＬＥＤドライバが白色ＬＥＤ２ｂのみを点灯するように制御ユニット
が制御する
、同時に、
駆動ユニットが、バックライト４からの光が緑色フィルタ１０Ｇのみを透過するように液晶パネル５を制御する
［００４５］　続いて、赤色の点灯方法について図６を参照して説明する。図６は、液晶表示装置１における赤色点灯時の光の透過を示す概略図である。
［００４６］　図６に示すように、
赤色点灯時には、
ＬＥＤドライバが白色ＬＥＤ２ｂのみを点灯するように制御ユニット
が制御する
、同時に、図示しない駆動ユニットが、バックライト４からの光が赤色フィルタ１０Ｒのみを透過するように液晶パネル５を制御する
［００４７］　最後に、白色の点灯方法について図７を参照して説明する。図７は、液晶表示装置１における白色点灯時の光の透過を示す概略図である。
［００４８］　図７に示すように、
白色点灯時には、
ＬＥＤドライバが青色ＬＥＤ２ａおよび白色ＬＥＤ２ｂを点灯するように制御ユニット
が制御す
同時に、
駆動ユニットが、バックライト４からの光が白色フィルタ１０Ｗ、緑色フィルタ１０Ｇ、および赤色フィルタ１０Ｒを透過するように液晶パネル５を制御する
「［００５０］　これに対して、本実施形態に係る液晶表示装置１では、青色フィルタの代わりに白色フィルタ１０Ｗを用いているので、青色ＬＥＤ２ａおよび白色ＬＥＤ２ｂから射出された光は白色フィルタ１０Ｗをそのまま透過する。したがって、白色フィルタ１０Ｗでは、吸収による光量損失が少ないため、液晶表示装置１から射出される光量が多い。故に、本実施形態に係る液晶表示装置１は、従来の液晶表示装置と比較してバックライト４からの光の利用効率が高く、液晶表示装置１の輝度を高めることができる。また、本実施形態によれば、カラーフィルタによる光量吸収を減らすことができるので、液晶表示装置１における消費電力の削減を実現できる。」
「［００５４］　また、本実施形態に係る液晶表示装置１では、青色ＬＥＤ２ａおよび白色ＬＥＤ２ｂの利用により、白色表示も可能となっている。そのため、液晶表示装置１の輝度の向上を図ることができる。
［００５５］　なお、液晶表示装置１の発色方法としては、上記の各色の点灯方法を連続で行う時間分割表示を採用しても良いし、上記の各色の点灯方法を同時に行う空間分割表示を採用しても良く、発色方法に特に限定はない。」
「［図４］　　　　　　　　　［図５］　　　　
　［図６］　　　　　　　　　［図７］　　　　　　　　　　　　　　　　　　　　　　　　　　　　　　　　　　
　　　　　　　　　　　　　　　　　　　　　　　　　　　」
２　引用発明
　したがって、上記引用文献１には次の発明（以下、「引用発明」という。）が記載されていると認められる。
「液晶表示装置１は、バックライト４と、そのバックライト４の光射出面側に配置される液晶パネル５とを有し、
　液晶パネル５は、液晶層と、液晶層の表示面側に配置されたカラーフィルタ（１０Ｒ，１０Ｇ，１０Ｗ）を有し、
　カラーフィルタは、赤色光成分の光を透過する赤色フィルタ１０Ｒと、緑色光成分の光を透過する緑色フィルタ１０Ｇと、すべての可視光を透過する白色（無色）フィルタ１０Ｗとで構成され、
　バックライト４は、光源（２ａ，２ｂ）、および導光板３を有し、バックライト４では、光源からの光は導光板３の内部へ進入し、導光板３内で多重反射をして、導光板３の液晶パネル５側の面から射出され、
　バックライト４の光源は、少なくとも１つの青色発光ダイオード（青色ＬＥＤ）２ａと、少なくとも１つの白色発光ダイオード（白色ＬＥＤ）２ｂとで構成され、
　青色点灯時には、ＬＥＤドライバが青色ＬＥＤ２ａのみを点灯するように制御ユニットが制御し、同時に、駆動ユニットが、バックライト４からの光が白色フィルタ１０Ｗのみを透過するように液晶パネル５を制御し、
　緑色点灯時には、ＬＥＤドライバが白色ＬＥＤ２ｂのみを点灯するように制御ユニットが制御し、同時に、駆動ユニットが、バックライト４からの光が緑色フィルタ１０Ｇのみを透過するように液晶パネル５を制御し、
　赤色点灯時には、ＬＥＤドライバが白色ＬＥＤ２ｂのみを点灯するように制御ユニットが制御し、同時に、駆動ユニットが、バックライト４からの光が赤色フィルタ１０Ｒのみを透過するように液晶パネル５を制御し、
　白色点灯時には、ＬＥＤドライバが青色ＬＥＤ２ａおよび白色ＬＥＤ２ｂを点灯するように制御ユニットが制御し、同時に、駆動ユニットが、バックライト４からの光が白色フィルタ１０Ｗ、緑色フィルタ１０Ｇ、および赤色フィルタ１０Ｒを透過するように液晶パネル５を制御する
　液晶表示装置１。」
　また、引用文献１には、段落［００３８］に「青色ＬＥＤ２ａおよび白色ＬＥＤ２ｂの配置比率は、青色ＬＥＤ２ａと白色ＬＥＤ２ｂとの青色成分の強度が同じである場合、１：１であることが好ましい。ただし、上記の青色ＬＥＤ２ａおよび白色ＬＥＤ２ｂの配置比率はあくまでも一例であり、該配置比率に特に限定はない。」との技術事項が記載され、段落［００５５］に「液晶表示装置１の発色方法としては、上記の各色の点灯方法を連続で行う時間分割表示を採用しても良いし、上記の各色の点灯方法を同時に行う空間分割表示を採用しても良く、発色方法に特に限定はない。」との技術事項が記載されている。
第５　対比・判断
１　本願発明１について
（１）対比
　本願発明１と引用発明とを対比すると、次のことがいえる。
ア　引用発明における「液晶表示装置１」、「バックライト４」、「液晶パネル５」、「導光板３」、「カラーフィルタ」、「液晶層」は、それぞれ本願発明１における「液晶表示装置」、「バックライト装置」、「液晶表示パネル」、「導光板」、「カラーフィルタ基板」、「表示用アレイ基板」に相当する。
イ　引用発明の「液晶表示装置１は、バックライト４と、そのバックライト４の光射出面側に配置される液晶パネル５とを有し」ているから、引用発明の「液晶表示装置１」は、本願発明１の「バックライト装置と、液晶表示パネルと、を有する液晶表示装置」に相当する。
ウ　引用発明の「バックライト４は、光源（２ａ，２ｂ）、および導光板３を有し」ていることは、本願発明１の「前記バックライト装置は、光源と、導光板とを有し」ていることに相当する。
エ　引用発明の「液晶パネル５は、液晶層と、液晶層の表示面側に配置されたカラーフィルタ（１０Ｒ，１０Ｇ，１０Ｗ）を有し」ていることは、本願発明１の「前記液晶表示パネルは、カラーフィルタ基板と、表示用アレイ基板とを有し」ていることに相当する。
オ　引用発明の「赤色フィルタ１０Ｒ」、「緑色フィルタ１０Ｇ」及び「すべての可視光を透過する白色（無色）フィルタ１０Ｗ」は、本願発明１の「赤色着色層」、「緑色着色層」及び「クリア層」にそれぞれ相当し、引用発明の「カラーフィルタは、赤色光成分の光を透過する赤色フィルタ１０Ｒと、緑色光成分の光を透過する緑色フィルタ１０Ｇと、すべての可視光を透過する白色（無色）フィルタ１０Ｗとで構成され」ていることは、本願発明１の「前記カラーフィルタ基板は、少なくとも赤色着色層と、緑色着色層と、クリア層とを有し」ていることに相当する。
　
カ　引用発明において、「バックライト４では、光源からの光は導光板３の内部へ進入し、導光板３内で多重反射をして、導光板３の液晶パネル５側の面から射出され」るから、引用発明の「導光板３」は、本願発明１の「前記導光板は、光入射面と光射出面を有し」ている構成を備えているといえる。
　また、引用発明の「光源からの光は導光板３の内部へ進入」することは、本願発明１の「前記光源は、前記光入射面に光が導入されるように配置される」構成を備えているといえる。
キ　引用発明の「バックライト４の光源は、少なくとも１つの青色発光ダイオード（青色ＬＥＤ）２ａと、少なくとも１つの白色発光ダイオード（白色ＬＥＤ）２ｂとで構成され」ることは、本願発明１の「当該光源は、白色光を発する白色発光部と、青色光を発する青色発光部とを有し」ていることに相当する。
ク　したがって、本願発明１と引用発明との間には、次の一致点、及び各相違点があるといえる。
（一致点）
「　バックライト装置と、液晶表示パネルと、を有する液晶表示装置であって、
　前記バックライト装置は、光源と、導光板とを有し、
　前記液晶表示パネルは、カラーフィルタ基板と、表示用アレイ基板とを有し、
　前記カラーフィルタ基板は、少なくとも赤色着色層と、緑色着色層と、クリア層とを有し、
　前記導光板は、光入射面と光射出面を有し、
　前記光源は、前記光入射面に光が導入されるように配置されるとともに、当該光源は、白色光を発する白色発光部と、青色光を発する青色発光部とを有する、
　液晶表示装置。」
（相違点１）
　本願発明１の「前記白色発光部は、第１発光素子と第１封止体とを有し構成されており、前記青色発光部は、第２発光素子と第２封止体とを有し構成されて」いるのに対し、引用発明は「青色発光ダイオード（青色ＬＥＤ）２ａ」と、「白色発光ダイオード（白色ＬＥＤ）２ｂ」が封止体を有し構成されていることが特定されていない点。
（相違点２）
　本願発明１は「前記白色発光部のベースとなる第１発光素子の設置数をＳｗ、前記青色発光部のベースとなる第２発光素子の設置数をＳｂとした場合、Ｓｂ＝（０．３〜０．７）Ｓｗに設定されて」いるのに対し、引用発明は「バックライト４の光源は、少なくとも１つの青色発光ダイオード（青色ＬＥＤ）２ａと、少なくとも１つの白色発光ダイオード（白色ＬＥＤ）２ｂとで構成され」ているものの、それぞれのＬＥＤの数が前記「Ｓｂ＝（０．３〜０．７）Ｓｗ」に設定されていることが特定されていない点。
（相違点３）
　本願発明１は「前記液晶表示装置はフィールドシーケンシャル方式で駆動され、フィールドシーケンシャル方式による色表示手法を可能とするための制御回路部を備え、前記白色発光部から発光される時間帯と、前記青色発光部から発光される時間帯とが、重なることなく区分されて操作される」のに対し、引用発明の「制御ユニット」及び「駆動ユニット」は、そのような制御をしていない点。
（２）相違点についての判断
　事案に鑑み、上記相違点３について検討する。
　引用発明は「青色点灯時には、ＬＥＤドライバが青色ＬＥＤ２ａのみを点灯するように制御ユニットが制御し、同時に、駆動ユニットが、バックライト４からの光が白色フィルタ１０Ｗのみを透過するように液晶パネル５を制御し、
　緑色点灯時には、ＬＥＤドライバが白色ＬＥＤ２ｂのみを点灯するように制御ユニットが制御し、同時に、駆動ユニットが、バックライト４からの光が緑色フィルタ１０Ｇのみを透過するように液晶パネル５を制御し、
　赤色点灯時には、ＬＥＤドライバが白色ＬＥＤ２ｂのみを点灯するように制御ユニットが制御し、同時に、駆動ユニットが、バックライト４からの光が赤色フィルタ１０Ｒのみを透過するように液晶パネル５を制御し、
　白色点灯時には、ＬＥＤドライバが青色ＬＥＤ２ａおよび白色ＬＥＤ２ｂを点灯するように制御ユニットが制御し、同時に、駆動ユニットが、バックライト４からの光が白色フィルタ１０Ｗ、緑色フィルタ１０Ｇ、および赤色フィルタ１０Ｒを透過するように液晶パネル５を制御する」ものである。
　また、引用文献１には、「液晶表示装置１の発色方法としては、上記の各色の点灯方法を連続で行う時間分割表示を採用しても良いし、上記の各色の点灯方法を同時に行う空間分割表示を採用しても良く、発色方法に特に限定はない。」との技術事項が記載されている。
　ここで、「上記の各色の点灯方法を連続で行う時間分割表示を採用」した場合の「上記各色の点灯」とは、「青色点灯」、「緑色点灯」、「赤色点灯」及び「白色点灯」であり、それぞれの色を時間分割して表示することを意味するものと解される。
　してみると、青色点灯時には、青色ＬＥＤ２ａのみを点灯し、緑色点灯時には、白色ＬＥＤ２ｂのみを点灯し、赤色点灯時には、白色ＬＥＤ２ｂのみを点灯するから、青色、緑色、赤色の各色点灯時においては、相違点３に係る「前記白色発光部から発光される時間帯と、前記青色発光部から発光される時間帯とが、重なることなく区分されて操作される」構成となるものの、「白色点灯時には、ＬＥＤドライバが青色ＬＥＤ２ａおよび白色ＬＥＤ２ｂを点灯するように制御ユニットが制御し、同時に、駆動ユニットが、バックライト４からの光が白色フィルタ１０Ｗ、緑色フィルタ１０Ｇ、および赤色フィルタ１０Ｒを透過するように液晶パネル５を制御する」ものであるから、白色点灯時がある以上、相違点３に係る「前記白色発光部から発光される時間帯と、前記青色発光部から発光される時間帯とが、重なることなく区分されて操作される」構成とはならない。
　
　また、引用文献１の段落［００５４］に「本実施形態に係る液晶表示装置１では、青色ＬＥＤ２ａおよび白色ＬＥＤ２ｂの利用により、白色表示も可能となっている。そのため、液晶表示装置１の輝度の向上を図ることができる。」と記載され、段落［００５０］に「青色フィルタの代わりに白色フィルタ１０Ｗを用いているので、青色ＬＥＤ２ａおよび白色ＬＥＤ２ｂから射出された光は白色フィルタ１０Ｗをそのまま透過する。」と記載されている。これらの記載から、青色ＬＥＤ２ａおよび白色ＬＥＤ２ｂを点灯と、白色フィルタ１０Ｗ、緑色フィルタ１０Ｇ、および赤色フィルタ１０Ｒの透過の制御を時間分割したとしても、白色表示の際に、青色ＬＥＤ２ａから射出された光だけでなく白色ＬＥＤ２ｂから射出された光も白色フィルタ１０Ｗをそのまま透過することにより輝度の向上を図るものであり、同じ白色フィルタ１０Ｗを透過する光を点灯する青色ＬＥＤ２ａ及び白色ＬＥＤ２ｂを、時間帯が異なるように点灯制御すると輝度の向上を図ることができなくなるから、そのような点灯制御は、引用文献１の記載から導くことができるとはいえない。
　よって、本願発明１の相違点３に係る構成は、引用発明及び引用文献１に記載された技術的事項に基づいて容易に想到し得たものとはいえない。
　したがって、上記相違点１及び２について検討するまでもなく、本願発明１は、当業者であっても、引用発明及び引用文献１に記載された技術的事項に基づいて容易に発明をすることができたものとはいえない。
２　本願発明２−５について
　本願発明２−５も、本願発明１の相違点３に係る構成を備えるものであるから、本願発明１と同じ理由により、当業者であっても、引用発明及び引用文献１に記載された技術的事項に基づいて容易に発明をすることができたものとはいえない。
第６　むすび
　以上のとおり、本願発明１−５は、引用発明及び引用文献１に記載された技術的事項に基づいて当業者が容易に発明をすることができたものではない。したがって、原査定の理由によっては、本願を拒絶することはできない。
　また、他に本願を拒絶すべき理由を発見しない。
　よって、結論のとおり審決する。